(57)【特許請求の範囲】
【請求項１】
紙面上の個人情報に対する貼り付け又は貼り付け後の剥がしにより、前記個人情報が判読不能となる個人情報保護用粘着シートであって、
裏側の粘着面及び表側の剥離面を有し且つ前記紙面のうち前記個人情報となる文字列のみを部分的に覆う帯状に形成される帯状シートと、
前記帯状シートが前記粘着面及び前記剥離面を貼り合わせるようにロール状に巻き付けられる巻回体と、を備え、
前記粘着面は、黒色などを含む濃色面又は模様面を有し、
前記帯状シートは、切り線と、前記切り線に沿って分離自在に形成される帯状遮蔽部と、を有し、前記帯状遮蔽部が、前記個人情報となる一行又は複数行の文字列を覆う幅及び長さであり、
前記巻回体は、前記帯状シートの幅方向又は前記幅方向と交差する長さ方向のいずれか一方若しくは両方へ延びる前記切り線によって、前記帯状遮蔽部が前記文字列のサイズに合った前記幅及び前記長さを有するように、前記帯状シートが引き出し自在に巻き付けられることを特徴とする個人情報保護用粘着シート。
【請求項２】
前記切り線として、前記巻回体からの前記帯状シートの引き出し方向へ延びる第一切れ線を有することを特徴とする請求項１記載の個人情報保護用粘着シート。
【請求項３】
前記帯状シートに前記切り線として、前記巻回体からの前記帯状シートの引き出し方向へ延びる第一切れ線と、前記第一切れ線と交差する方向へ延びる第二切れ線と、をそれぞれ形成したことを特徴とする請求項１記載の個人情報保護用粘着シート。
【発明の詳細な説明】
【技術分野】
【０００１】
本発明は、例えば使用済みの葉書や封筒や請求書などのような、氏名や住所等の個人情報が記載された書類を処分する際に用いる個人情報保護用粘着シートに関する。
【背景技術】
【０００２】
従来、この種の個人情報保護用粘着シートとして、黒色シールと剥離紙とから構成され、さらに前記黒色シールが、透かし見が不能な黒色の遮蔽層と、前記遮蔽層上の一方に難剥離性を有する強力な粘着剤が塗布された粘着剤層とから構成される個人情報保護シールがある（例えば、特許文献１参照）。
また、前記剥離紙のサイズ及び形状は、郵便葉書と同じであり、前記黒色シールの形状は、郵便葉書と同じであるが、サイズは剥離紙よりも一回り小さく設定されている。
【先行技術文献】
【特許文献】
【０００３】
【特許文献１】特開２００４−２７２１７７号公報
【発明の概要】
【発明が解決しようとする課題】
【０００４】
しかし乍ら、このような従来の個人情報保護シールでは、黒色シールと剥離紙から構成されるため、剥離紙が必要な分だけコスト高になり、さらに黒色シールから剥がした剥離紙は廃棄物となるため、無駄が多くて環境に対する負荷を多くするという問題があった。
さらに、黒色シールのサイズが、郵便葉書のサイズ及び形状と同じ剥離紙よりも一回り小さく設定されて、葉書の表面全てを覆うように貼り付けるため、文字以外の空白部分を無駄に覆うことになってしまい、無駄が多くて不経済であるという問題があった。
【０００５】
本発明は、このような問題に対処することを課題とするものであり、個人情報となる文字列のみを部分的に覆って第三者に見られることを防ぐこと、などを目的とするものである。
【課題を解決するための手段】
【０００６】
このような目的を達成するために本発明に係る個人情報保護用粘着シートは、紙面上の個人情報に対する貼り付け又は貼り付け後の剥がしにより、前記個人情報が判読不能となる個人情報保護用粘着シートであって、裏側の粘着面及び表側の剥離面を有し且つ前記紙面のうち前記個人情報となる文字列のみを部分的に覆う帯状に形成される帯状シートと、前記帯状シートが前記粘着面及び前記剥離面を貼り合わせるようにロール状に巻き付けられる巻回体と、を備え、前記粘着面は、黒色などを含む濃色面又は模様面を有し、前記帯状シートは、切り線と、前記切り線に沿って分離自在に形成される帯状遮蔽部と、を有し、前記帯状遮蔽部が、前記個人情報となる一行又は複数行の文字列を覆う幅及び長さであり、前記巻回体は、前記帯状シートの幅方向又は前記幅方向と交差する長さ方向のいずれか一方若しくは両方へ延びる前記切り線によって、前記帯状遮蔽部が前記文字列のサイズに合った前記幅及び前記長さを有するように、前記帯状シートが引き出し自在に巻き付けられることを特徴とする。
【発明の効果】
【０００７】
前述した特徴を有する本発明は、巻回体から帯状シートを引き出すことで、粘着面を剥離面から剥がれて、帯状シートから帯状遮蔽部が切り離し可能となる。個人情報となる一行又は複数行の文字列のサイズに合わせて、帯状シートから帯状遮蔽部を切り離し、帯状遮蔽部を個人情報となる一行又は複数行の文字列が覆われるように貼り付ける。これにより、個人情報となる一行又は複数行の文字列が帯状遮蔽部で見えなくなる。この状態から帯状遮蔽部を剥がすと、個人情報となる一行又は複数行の文字列を記載した紙面が、帯状遮蔽部の粘着面に粘着したまま薄皮状に剥がれ、粘着面の濃色面又は模様面と文字列が同化して、文字の輪郭が視認し難くなって判読不能となる。
したがって、個人情報となる文字列のみを部分的に覆って第三者に見られることを防ぐことができる。
その結果、郵便葉書のサイズ及び形状と同じ剥離紙から、それよりも一回り小さく設定された黒色シールを剥がして、葉書の表面全てが覆われるように貼り付ける従来のものに比べ、剥離紙が必要なく廃棄物も減るからエコロジーである。
さらに、巻回体から引き出された帯状シートより帯状遮蔽部を切り離すため、帯状遮蔽部のサイズを個人情報となる一行又は複数行の文字列のサイズに合わせて容易に調整でき、多種類のサイズを予め用意する必要がない。それにより、コストの低減化が図れて、経済性に優れる。
また、巻回体から引き出される帯状シートと帯状遮蔽部の幅サイズを、個人情報となる文字列の文字幅サイズと略一致するように設定した場合には、個人情報となる文字列の長さサイズに合わせて、帯状シートから帯状遮蔽部を切り離すだけでサイズ調整作業が完了するため、個人情報となる文字列のみを速やかに隠すことができる。
【図面の簡単な説明】
【０００８】
【図１】本発明の実施形態に係る個人情報保護用粘着シートの全体構成を示す説明図であり、（ａ）が斜視図、（ｂ）が書類に貼り付けた状態の正面図である。
【発明を実施するための形態】
【０００９】
以下、本発明の実施形態を図面に基づいて詳細に説明する。
本発明の実施形態に係る個人情報保護用粘着シートＡは、図１（ａ）（ｂ）に示すように、紙面上などの個人情報Ｂに対し、貼り付けるか又は貼り付け後に剥がすることにより、個人情報Ｂが手間なく容易に判読不能となって、そのまま破棄処分しても個人情報Ｂの流出不安を解消するものである。
詳しく説明すると、本発明の実施形態に係る個人情報保護用粘着シートＡは、帯状に形成される帯状シート１と、帯状シート１をロール状に巻き付けて貼り合わされる巻回体２と、を主要な構成要素として備えている。
また、個人情報Ｂとは、特定の個人を識別することができる情報を指し、特に紙面などに記載される場合のような廃棄する可能性があるものを言う。個人情報Ｂの具体例としては、氏名や住所又はそれ以外に郵便番号や電話番号や会員番号なども含まれる。
個人情報Ｂの記載箇所としては、葉書や封筒や請求書や明細書や宛名ラベルなどのような、紙製シート又は合成樹脂製シート若しくはその類似物からなる書類Ｃの表面などが主であり、個人情報Ｂが記載可能であれば書類Ｃ以外のものも含まれる。
書類Ｃとしては、繊維が積層された紙製シートなどのような、シート本体Ｃ１から個人情報Ｂが記載された紙面と共に剥離可能な表層部Ｃ２を有するものが好ましい。
【００１０】
帯状シート１は、その幅方向（Ｙ方向）サイズ及びそれと交差する長さ方向（Ｘ方向）サイズが、書類Ｃの紙面などに記載した宛名（氏名）や住所等の個人情報Ｂとなる一行又は複数行の文字列Ｂ１よりもそれぞれ大きくなるように設定されている。
詳しく説明すると、帯状シート１の幅方向（Ｙ方向）サイズを、個人情報Ｂとなる一行又は複数行の文字列Ｂ１の文字幅サイズよりも若干大きな略同一サイズとするか、又は人情報Ｂとなる一行又は複数行の文字列Ｂ１の文字幅サイズの整数倍となるように設定することが好ましい。
帯状シート１の長さ方向（Ｘ方向）サイズは、個人情報Ｂとなる一行又は複数行の文字列Ｂ１の文字長さサイズよりも長く設定されている。
【００１１】
さらに、帯状シート１は、帯状に形成される基材１ａと、基材１ａの裏側片面に形成される粘着面１ｂと、基材１ａの表側反対面に形成される剥離面１ｃと、を有している。
基材１ａは、セロファン等のフィルム、ポリプロピレンや軟質ポリ塩化ビニルやポリエステルやポリエチレンやポリイミド等の合成樹脂フィルム、布、紙、金属箔などの変形可能な軟質材料で構成される。
粘着面１ｂは、基材１ａの裏側片面にガム糊などの接着剤を塗布することで構成され、特に難剥離性を有する強力な粘着剤を塗布することが好ましい。さらに、粘着面１ｂは、黒色などを含む濃色面１ｂ１か、又は迷彩パターンやランダムドットパターンなどを含む模様面（図示しない）を有している。
剥離面１ｃは、基材１ａの表側反対面に剥離剤を塗布するか、又は基材１ａの材料として粘着面１ｂが剥離し易い材料を用いることで構成される。
また、基材１ａとしては、その表側となる剥離面１ｃに印刷や筆記などが可能な材料を用いることが好ましい。その具体例として、基材１ａの剥離面１ｃに対して、文字や絵やマークなどを印刷可能にするか、又はボールペンやサインペンなどの筆記具で書けるようにしている。
これに加えて、帯状シート１の表側となる剥離面１ｃに、広告宣伝情報を印刷することにより、広告宣伝物(ノベルティーグッズ)として利用することも可能である。
【００１２】
粘着面１ｂの具体例として、図１（ａ）（ｂ）に示される例では、基材１ａの材料として黒色や紺色などの濃色材料を用いるか、又は基材１ａの裏側片面に濃色の塗料を塗布することで濃色面１ｂ１が形成され、濃色面１ｂ１の表面には、濃色面１ｂ１の濃色が透過する無色などの接着剤を塗布している。
また、その他の例として図示しないが、基材１ａの裏側片面に迷彩パターンやランダムドットパターンなどの模様面を印刷した後に無色などの接着剤を塗布したり、基材１ａにおいて裏側片面の全体に濃色の粘着剤を塗布したり変更することも可能である。
【００１３】
そして、帯状シート１は、後述する巻回体２から引き出して切り離される帯状遮蔽部１１を有している。
巻回体２は、巻芯２ａに沿って帯状シート１を、その裏側の粘着面１ｂが表側の剥離面１ｃに重なり合うようにロール状に巻き付けることにより、粘着面１ｂ及び剥離面１ｃを互いに貼り合わせて構成される。
そのため、巻回体２の外周端から帯状シート１を引き剥がすことで、所定長さの帯状シート１が引き出し可能となり、ここから所定サイズの帯状遮蔽部１１が切り離し可能となる。
帯状遮蔽部１１は、書類Ｃの紙面などに記載された宛名（氏名）や住所等の個人情報Ｂとなる一行又は複数行の文字列Ｂ１を覆うことが可能な幅Ｗ及び長さＬを有している。
すなわち、帯状遮蔽部１１は、個人情報Ｂとなる一行又は複数行の文字列Ｂ１の幅寸法や長さ寸法に合わせて任意なサイズに切り離し可能に構成されている。
【００１４】
帯状シート１が切り線１２を有し、帯状シート１を切り線１２に沿って複数の帯状遮蔽部１１に分離自在に形成することが好ましい。
切り線１２は、帯状シート１の厚み方向へ貫通する貫通孔が所定間隔毎に連続するように形成されるミシン目や、帯状シート１の厚み方向へ部分的に凹設された穴が連続して形成される切り込みなどによって、ハサミやカッターナイフなどの刃物を用いなくとも人力で容易に切り離せるように構成されている。
さらに、切り線１２としては、帯状シート１の長さ方向（Ｘ方向）、すなわち巻回体２からの帯状シート１の引き出し方向へ延びる第一切れ線１２ａを有することが好ましい。
第一切れ線１２ａは、帯状シート１の幅方向（Ｙ方向）中間位置に単数本配置されるか、又は幅方向（Ｙ方向）へ所定間隔毎に複数本それぞれ配置される。
また、切り線１２として、帯状シート１の長さ方向（Ｘ方向）と交差する幅方向（Ｙ方向）へ延びる第二切れ線１２ｂを有することも可能である。
第二切れ線１２ｂは、帯状シート１の長さ方向（Ｘ方向）へ所定間隔毎に複数本それぞれ配置される。
【００１５】
このような本発明の実施形態に係る個人情報保護用粘着シートＡによると、巻回体２から帯状シート１を引き出すことで、粘着面１ｂを剥離面１ｃから剥がれて、帯状シート１から帯状遮蔽部１１が切り離し可能となる。書類Ｃの紙面などに記載された個人情報Ｂとなる一行又は複数行の文字列Ｂ１のサイズに合わせて、帯状シート１から帯状遮蔽部１１を切り離し、この帯状遮蔽部１１を個人情報Ｂとなる一行又は複数行の文字列Ｂ１が覆われるように貼り付ける。
これにより、個人情報Ｂとなる一行又は複数行の文字列Ｂ１が帯状遮蔽部１１で見えなくなる。
この状態で個人情報Ｂを記載した書類Ｃなどが廃棄される。しかし、この廃棄した書類Ｃなどから個人情報Ｂを盗み見る可能性がある。
その対策として、シート本体Ｃ１から個人情報Ｂが記載された紙面と共に剥離可能な表層部Ｃ２を有する書類Ｃであれば、この状態から帯状遮蔽部１１を剥がそうとしても、個人情報Ｂとなる一行又は複数行の文字列Ｂ１を記載した紙面と共に表層部Ｃ２が、帯状遮蔽部１１の粘着面１ｂに粘着したまま薄皮状に剥がれる。この剥がれた帯状遮蔽部１１と紙面及び表層部Ｃ２は、粘着面１ｂの濃色面１ｂ１又は模様面と文字列Ｂ１が同化して、文字の輪郭と紙面との境目が視認し難くなるため、個人情報Ｂとなる一行又は複数行の文字列Ｂ１が判読不能となる。
したがって、書類Ｃの紙面などに記載された氏名や住所等の個人情報Ｂとなる文字列Ｂ１のみを部分的に覆って第三者に見られることを防ぐことができる。
その結果、剥離紙が必要なく廃棄物も減るからエコロジーである。
さらに、巻回体２から引き出された帯状シート１より帯状遮蔽部１１を切り離すため、帯状遮蔽部１１のサイズを個人情報Ｂとなる一行又は複数行の文字列Ｂ１のサイズに合わせて容易に調整でき、多種類のサイズを予め用意する必要がない。それにより、コストの低減化が図れて、経済性に優れる。
また、巻回体２から引き出される帯状シート１と帯状遮蔽部１１の幅サイズを、個人情報Ｂとなる文字列Ｂ１の文字幅サイズと略一致するように設定した場合には、個人情報Ｂとなる文字列Ｂ１の長さサイズに合わせて、帯状シート１から帯状遮蔽部１１を切り離すだけでサイズ調整作業が完了するため、個人情報Ｂとなる文字列Ｂ１のみを速やかに隠すことができる。
【００１６】
特に、帯状シート１が切り線１２を有し、帯状シート１を切り線１２に沿って帯状遮蔽部１１に分離自在に形成することが好ましい。
この場合には、ハサミやカッターナイフなどの刃物で切断しなくても、帯状シート１の切り線１２によって、個人情報Ｂとなる文字列Ｂ１のサイズに合った幅Ｗや長さＬの帯状遮蔽部１１が容易に切り離し可能となる。
したがって、刃物が無くても個人情報Ｂとなる文字列Ｂ１のみをそのサイズに合った幅Ｗ及び長さＬの帯状遮蔽部１１により誰でも短時間で且つ簡単に覆うことができる。
その結果、作業性を向上させることができる。
【００１７】
さらに、切り線１２として、巻回体２からの帯状シート１の引き出し方向へ延びる切り取り線１３ａを有することが好ましい。
この場合には、個人情報Ｂとなる文字列Ｂ１の長さサイズに合った長さＬの帯状遮蔽部１１が容易に切り離し可能となる。
したがって、個人情報Ｂとなる比較的に細長い文字列Ｂ１をその長さサイズに合った一つの帯状遮蔽部１１で簡単に覆うことができる。
その結果、複数の帯状遮蔽部１１を継ぎ足す必要がないため、使用勝手が良い。
【実施例】
【００１８】
次に、本発明の一実施例を図面に基づいて説明する。
この実施例は、図１（ａ）（ｂ）に示すように、帯状シート１に切り線１２として、巻回体２からの帯状シート１の引き出し方向へ延びる第一切れ線１２ａと、第一切れ線１２ａと交差する方向へ延びる第二切れ線１２ｂと、をそれぞれ形成したものである。
図１（ａ）（ｂ）に示される例では、第一切れ線１２ａが帯状シート１の幅方向（Ｙ方向）へ複数本（三本）それぞれ等間隔毎に配置され、第二切れ線１２ｂを帯状シート１の長さ方向（Ｘ方向）へ複数本（多数本）それぞれ等間隔毎に配置している。
また、その他の例として図示しないが、単数本の第一切れ線１２ａを等間隔又は異なる間隔で配置したり、第一切れ線１２ａを帯状シート１の幅方向（Ｙ方向）へ二本又は四本以上それぞれ所定間隔毎に配置したり、第二切れ線１２ｂの配置間隔を図示例よりも短くしたり長くしたり、第一切れ線１２ａ又は第二切れ線１２ｂのいずれか一方若しくは両方を複数本それぞれ異なる間隔で配置したり変更することも可能である。
【００１９】
さらに、図示例では、書類Ｃとして葉書の紙面に記載される文字列Ｂ１として、宛名（氏名）に該当する第一文字列Ｂ１ａが一行であり、住所に該当する第二文字列Ｂ１ｂも一行である場合を示している。帯状遮蔽部１１として、第一文字列Ｂ１ａに貼り付けられる第一帯状遮蔽部１１ａの幅サイズＷ１を、第二文字列Ｂ１ｂに貼り付けられる第二帯状遮蔽部１１ｂの幅サイズＷ２の２倍に設定している。第一帯状遮蔽部１１ａの長さサイズＬ１を、第二帯状遮蔽部１１ｂの長さサイズＬ２よりも長く設定している。
このため、第一帯状遮蔽部１１ａは、第二帯状遮蔽部１１ｂの幅サイズＷ２の２倍となる第一切れ線１２ａに沿って切り離すことで対応している。
また、その他の例として図示しないが、複数行の文字列Ｂ１に亘って一枚の帯状遮蔽部１１を貼り付けることで覆ったり、帯状遮蔽部１１の幅Ｗや長さＬを図示例以外のサイズに変更したり、宛名（氏名）の第一文字列Ｂ１ａ及び住所の第二文字列Ｂ１ｂ以外に郵便番号Ｂ１ｃや電話番号や会員番号などの個人情報Ｂを帯状遮蔽部１１で覆うことも可能である。
【００２０】
このような本発明の実施例に係る個人情報保護用粘着シートＡによると、帯状シート１から個人情報Ｂとなる文字列Ｂ１のサイズに合った複数の帯状遮蔽部１１が、交差状の第一切れ線１２ａ及び第二切れ線１２ｂに沿ってそれぞれ切り離し可能となる。
したがって、サイズが異なる複数種類の個人情報Ｂとなる文字列Ｂ１に対して帯状遮蔽部１１を容易にサイズ調整して切り離すことができる。
その結果、更に作業性を向上できるという利点がある。
【００２１】
なお、前示実施例では、帯状シート１に切り線１２として第一切れ線１２ａ及び第二切れ線１２ｂの両方を配置したが、これに限定されず、第一切れ線１２ａ又は第二切れ線１２ｂのいずれか一方のみを配置しても良い。
また図示例では、個人情報Ｂが記載された書類Ｃとして葉書のみを示したが、これに限定されず、書類Ｃが封筒や請求書や明細書や宛名ラベルなどである場合か、又は書類Ｃ以外のものであっても個人情報Ｂが記載されたものであれば、同様に帯状遮蔽部１１で覆うことが可能となる。
【符号の説明】
【００２２】
Ａ  個人情報保護用粘着シート            １  帯状シート
１ｂ  粘着面                            １ｃ  剥離面
１ｂ１  濃色面                          ２  巻回体
１１  帯状遮蔽部                        １２  切り線
１２ａ  第一切れ線                      １２ｂ  第二切れ線
Ｂ  個人情報                            Ｂ１  文字列
【図１】
0006560005.tif 000002